(57)【特許請求の範囲】
【請求項１】
第１の無線アクセス技術に従う第１のモードと第２の無線アクセス技術に従う第２のモードとを切り替えて動作するように構成される受信器／送信器ユニットと、
受信された全地球測位システム（ＧＰＳ）信号に基づいてナビゲーション情報を提供するように構成されるＧＰＳユニットと、
前記第１のモードでの動作中に受信された信号に基づいて第１の周波数誤差推定を生成し、前記第１の周波数誤差推定を前記ＧＰＳユニットに提供するように構成される誤差ユニットと、
を備え、
前記誤差ユニットは、前記第２のモードでの動作中に受信された信号に基づいて第２の周波数誤差推定を生成するようにさらに構成され、
前記受信器／送信器ユニットが、前記誤差ユニットが次に前記第１の周波数誤差推定を生成するまでの期間に基づいて定められる所定の時間量を超えて前記第２のモードで動作していることに応じて、前記誤差ユニットは、前記第２の周波数誤差推定を前記ＧＰＳユニットに提供するように構成される、
無線モバイル機器。
【請求項２】
前記第１の無線アクセス技術は、第３世代パートナーシッププロジェクト（３ＧＰＰ）のロングタームエボリューション（ＬＴＥ）無線通信規格の最新版に対応する、請求項１に記載の無線モバイル機器。
【請求項３】
前記第２の無線アクセス技術は、符号分割多重２０００−１Ｘ（ＣＤＭＡ２０００−１Ｘ）無線通信規格に対応する、請求項１に記載の無線モバイル機器。
【請求項４】
前記受信器／送信器ユニットは、前記第１のモードで優先的に動作し、所定の間隔で前記第２のモードでの動作に切り替えるように構成される、請求項１に記載の無線モバイル機器。
【請求項５】
前記受信器／送信器ユニットは、前記第２の無線アクセス技術における弱い信号の検出に応じて、前記第２のモードのままであるように構成される、請求項４に記載の無線モバイル機器。
【請求項６】
前記誤差ユニットは、前記受信器／送信器ユニットが前記所定の時間量を超えて前記第２のモードで動作しているかを判定するように構成される制御ユニットを含む、請求項４に記載の無線モバイル機器。
【請求項７】
無線モバイル機器が、第１の無線アクセス技術に従う第１のモードで動作している間に信号を受信することと、第２の無線アクセス技術に従う第２のモードで動作している間に信号を受信することとを切り替えて行うことと、
前記無線モバイル機器の全地球測位システム（ＧＰＳ）ユニットが、ナビゲーション情報を提供することと、
前記第１のモードでの動作中に受信された第１の信号に基づいて第１の周波数誤差推定を生成して、前記第１の周波数誤差推定を前記ＧＰＳユニットに提供することと、
前記第２のモードでの動作中に受信された第２の信号に基づいて第２の周波数誤差推定を生成することと、
を含み、
前記第１の周波数誤差推定が次に生成されるまでの期間に基づいて定められる所定の時間量を超えて前記第２のモードで信号を受信したことに応じて、前記第２の周波数誤差推定を前記ＧＰＳユニットに提供する、
方法。
【請求項８】
前記第１の無線アクセス技術は、第３世代パートナーシッププロジェクト（３ＧＰＰ）のロングタームエボリューション（ＬＴＥ）無線通信規格の最新版に対応する、請求項７に記載の方法。
【請求項９】
前記第２の無線アクセス技術は、符号分割多重２０００−１Ｘ（ＣＤＭＡ２０００−１Ｘ）無線通信規格に対応する、請求項７に記載の方法。
【請求項１０】
前記第１及び第２の信号は、第１及び第２のパイロット信号に対応する、請求項７に記載の方法。
【請求項１１】
前記第２のモードで動作している間に信号を受信することは、所定の間隔で前記第２のモードでの動作に切り替えて、着信メッセージをチェックすることを含む、請求項７に記載の方法。
【請求項１２】
着信メッセージがないと判定したことに応じて前記第１のモードでの動作に戻ることをさらに含む、請求項１１に記載の方法。
【請求項１３】
第１の期間において第１の無線アクセス技術に従う第１のモードで無線モバイル機器を動作させることと、
前記第１のモードでの動作中に受信された信号に基づいて第１の周波数誤差推定を生成し、前記第１の周波数誤差推定を全地球測位システム（ＧＰＳ）ユニットに提供することと、
所定の時間の間隔で、また、着信メッセージを受信したことに応じて、第２の期間において第２の無線アクセス技術に従う第２のモードで前記無線モバイル機器を動作させることと、
前記第２のモードでの動作中に受信された信号に基づいて第２の周波数誤差推定を生成することと、
を含み、
前記無線モバイル機器は前記第１のモードと前記第２のモードとを切り替えて動作し、
前記第１の周波数誤差推定が次に生成されるまでの期間に基づいて定められる所定の時間量を超えて前記第２のモードで前記無線モバイル機器を動作させたことに応じて、前記第２の周波数誤差推定を前記ＧＰＳユニットに提供する、
方法。
【請求項１４】
第２のモードで前記無線モバイル機器を動作させることは、着信メッセージをチェックすることを含む、請求項１３に記載の方法。
【請求項１５】
着信メッセージがないと判定したことに応じて前記第１のモードでの動作に戻ることをさらに含む、請求項１３に記載の方法。
【請求項１６】
前記所定の時間量は、前記第１の期間を下回る時間量に対応する、請求項１３に記載の方法。
【請求項１７】
第１の無線アクセス技術に従う第１のモードでの動作と、第２の無線アクセス技術に従う第２のモードでの動作とを切り替えて行うように構成される受信器／送信器ユニットと、
受信された全地球測位システム（ＧＰＳ）信号に基づいてナビゲーション情報を提供するように構成されるＧＰＳユニットと、
前記第１のモードでの動作中に受信された信号に基づいて第１の周波数誤差推定を生成し、前記第１の周波数誤差推定を前記ＧＰＳユニットに提供し、前記第２のモードでの動作中に受信された信号に基づいて第２の周波数誤差推定を生成するように構成される誤差ユニットと、
を備え、
前記誤差ユニットは、前記第２のモードで動作している間に、前記誤差ユニットが次に前記第１の周波数誤差推定を生成するまでの期間に基づいて定められる所定の時間量が経過するまで、前記第２の周波数誤差推定を前記ＧＰＳユニットに提供することを禁止するようにさらに構成される、
無線モバイル機器。
【請求項１８】
前記第１の無線アクセス技術は、第３世代パートナーシッププロジェクト（３ＧＰＰ）のロングタームエボリューション（ＬＴＥ）無線通信規格の最新版に対応する、請求項１７に記載の無線モバイル機器。
【請求項１９】
前記第２の無線アクセス技術は、符号分割多重２０００−１Ｘ（ＣＤＭＡ２０００−１Ｘ）無線通信規格に対応する、請求項１７に記載の無線モバイル機器。
【請求項２０】
前記所定の時間量が経過し、前記受信器／送信器ユニットが前記第２のモードで動作し続けていることに応じて、前記誤差ユニットは、前記第２の周波数誤差推定を前記ＧＰＳユニットに提供するように構成される、請求項１７に記載の無線モバイル機器。
【発明の詳細な説明】
【技術分野】
【０００１】
本開示は、無線通信装置に関し、さらに詳しくは、複数の無線規格を実施する周波数誤差推定機器及び単一無線機器に関する。
【背景技術】
【０００２】
（優先権主張）
本願は、２０１２年４月９日に出願された「Ｍｅｃｈａｎｉｓｍ  ｆｏｒ  Ｒｅｄｕｃｉｎｇ  Ｔｉｍｅ  Ａｗａｙ  ｆｒｏｍ  Ｐａｃｋｅｔ  Ｓｗｉｔｃｈｅｄ  Ｏｐｅｒａｔｉｏｎ  ｉｎ  ａ  Ｓａｉｎｇｌｅ  Ｒａｄｉｏ  Ｓｏｌｕｔｉｏｎ」という名称の米国特許仮出願第６１／６２１，７５２号の優先権の利益を主張するものである。
【０００３】
近年、スマートフォン及びタブレットコンピュータ等の無線デバイスはますます高性能になってきている。電話機能のサポートに加えて、多くのモバイルデバイスは今や、インターネットへのアクセス、Ｅメール、テキストメッセージング、及び全地球測位システム（ＧＰＳ）を用いたナビゲーションサービスを提供する。さらに、無線通信規格のほぼ連続的な進展及び移行のため、これらのモバイル機器の多くは、いくつかの無線アクセス技術及び対応する規格内で動作することができる。
【発明の概要】
【発明が解決しようとする課題】
【０００４】
さらに詳しくは、一部の無線機器は、現在のカバレッジ領域内の所与の技術の利用可能性又は、例えば、無線機器の動作モードなどの様々な理由で技術間で動作を切り替える必要性及び対応する能力を有する場合がある。しかしながら、利用可能な技術によっては、無線機器は、最適とは言えない状態下で動作しなければならない場合がある。例えば、呼品質、データ転送速度、ＧＰＳ精度及び／又は稼働率が、許容できないほどに低下する恐れがある。
【課題を解決するための手段】
【０００５】
単一無線ソリューションにおいてパケット交換動作から離れる時間を低減する機構部の様々な実施形態を開示する。大まかに言って、ユーザ機器（ＵＥ）が２つ以上の無線アクセス技術に従って動作する無線通信機器を目的とする。ＵＥは、無線アクセス技術の第１の無線アクセス技術に従って優先的に動作するように構成することができ、かつ、例えば、着呼がないかチェックするために所定の間隔にて他の無線アクセス技術の１つ又はそれ以上に切り替わることができる。ＵＥ内の周波数誤差ユニットは、他の無線アクセス技術の所与の１つにおいて使用される時間が所定の期間よりも長くない限り、第１の無線アクセス技術において受信された信号に基づいて、第１の無線アクセス技術に従って動作中に周波数誤差推定をＵＥ内のＧＰＳユニットに提供することができる。周波数誤差ユニットは、所定の期間を満足し及び／又は超えたことに応じて、他の無線アクセス技術の所与の１つにおいて受信された信号に基づいて周波数誤差推定をＧＰＳユニットに提供するように構成することができる。
【０００６】
一実施形態では、ＵＥは、第１の無線アクセス技術に従う第１のモード及び第２の無線アクセス技術に従う第２のモードで動作するように構成される受信器／送信器ユニットを含むことができる。ＵＥは、受信された全地球測位システム（ＧＰＳ）信号に基づいてナビゲーション情報を提供するように構成されるＧＰＳユニットも含むことができる。ＵＥは、第１のモードでの動作中に受信された信号に基づいて第１の周波数誤差推定を生成し、第１の周波数誤差推定をＧＰＳユニットに提供するように構成することができる誤差ユニットも含むことができる。誤差ユニットは、第２のモードでの動作中に受信された信号に基づいて第２の周波数誤差推定を生成するように構成することもできる。受信器／送信器ユニットが所定の時間量を超えて第２のモードで動作していることに応じて、誤差ユニットは、第２の周波数誤差推定をＧＰＳユニットに提供することができる。
【０００７】
１つの特定の実装では、第１の無線アクセス技術は、第３世代パートナーシッププロジェクト（３ＧＰＰ）のロングタームエボリューション（ＬＴＥ）無線通信規格の最新版に対応し、第２の無線アクセス技術は、ＩＳ−２０００規格とも呼ばれる、符号分割多重２０００−１Ｘ（ＣＤＭＡ２０００−１Ｘ）無線通信規格に対応する。
【図面の簡単な説明】
【０００８】
【図１】無線通信システムの一実施形態のブロック図である。
【図２】図１に示す無線通信機器の一実施形態のブロック図である。
【図３】図２の無線通信機器の周波数誤差ユニットの一実施形態のブロック図である。
【図４】図２及び図３に示す周波数誤差ユニットの一実施形態の動作を示す流れ図である。
【発明を実施するための形態】
【０００９】
特定の実施形態を図面において一例として示すとともに本明細書で詳細に説明する。しかしながら、図面及び詳細な説明は、たとえ単一の実施形態を特定の特徴に関して説明するとしても、開示する特定の実施形態に特許請求項の範囲を限定することは意図されていないことを理解されたい。それどころか、当業者に明らかになる、本開示の利点を有する全ての改変例、均等物及び代替物を包含することが意図されている。本開示で提供されている機能の実施例は、別途記載がない限り、例示的な性質のものであって、限定的な目的を意図していない。
【００１０】
本出願を通して使用される単語「ｍａｙ」は、義務的な意味（即ち、必須を意味する）よりも、許容的な意味（即ち、可能性を含む意味）として使用される。同様に、単語「ｉｎｃｌｕｄｅ」、「ｉｎｃｌｕｄｉｎｇ」、及び「ｉｎｃｌｕｄｅｓ」は、〜を含むがこれに限定されるものではないということを意味する。
【００１１】
種々のユニット、回路、又は他の構成要素については、１つ以上のタスクを実行するよう「ｃｏｎｆｉｇｕｒｅｄ  ｔｏ（構成される）」ものとして述べる場合がある。このような状況では、「ｃｏｎｆｉｇｕｒｅｄ  ｔｏ（構成される）」は、動作中に１つ以上のタスクを実行する「ｈａｖｉｎｇ  ｃｉｒｃｕｉｔｒｙ（回路を備えている）」ことを広く意味する構造の広義な記述である。それゆえ、ユニット／回路／構成要素は、たとえ、ユニット／回路／構成要素が現在は作動していなくても、タスクを実行するように構成することができる。一般に、「ｃｏｎｆｉｇｕｒｅｄ  ｔｏ（構成される）」に対応する構造を形成する回路は、ハードウェア回路を含められる。同様に、説明上の便宜のために、種々のユニット／回路／構成要素がタスク又はタスク群を実行するように説明される場合がある。このような説明は、語句「ｃｏｎｆｉｇｕｒｅｄ  ｔｏ（構成される）」を含めるものとして解釈するものとする。１つ以上のタスクを実行するように構成されるユニット／回路／構成要素の列挙は、そのユニット／回路／構成要素に対する米国特許法第１１２条第６段落の解釈の適用を明示的に意図しない。
【００１２】
本開示の範囲は、本願で取り組まれている問題の一部又はすべてを軽減するかどうかに関係なく、本願で（明示的又は暗黙的に）開示されている全ての機能若しくはそれら機能の組み合わせ、又はそれらの一般化を含む。したがって、新しい特許請求は、本願のこのような機能の組み合わせに対する本願（又は、本願に対する優先権を主張する出願）の手続き中に策定し得る。特に、特許請求の範囲に関しては、従属クレームの機能は独立クレームの機能と組み合わされる場合があり、それぞれの独立クレームの機能は、任意の適切な方法で、かつ、単に特許請求の範囲で列挙されている特定の組み合わせではない形で組み合わされる場合がある。
【００１３】
上述したように、一部の無線機器は、いくつかの無線アクセス技術において動作する能力を有することができる。さらに、一部の機器は、１次技術又は規格において動作し、かつ、１次技術が利用できないか、又は、機器が異なる技術を選択したときに１つ以上のさらなる技術において動作することができる。さらに詳しくは、以下でさらに説明するように、無線機器は、第３世代パートナーシッププロジェクト（３ＧＰＰ）ロングタームエボリューション（ＬＴＥ）規格準拠である無線アクセス技術において動作することができる。それゆえ、無線機器は、パケット交換技法を使用してインターネットプロトコル（ＩＰ）を使用して動作することができる。無線機器は、例えば、ＣＤＭＡ２０００  １Ｘ（通常はＩＳ−２０００と称される）規格などの旧符号分割多重（ＣＤＭＡ）ＣＤＭＡ２０００規格の１つ以上のバージョン準拠である無線アクセス技術において動作することもできる。この操作モードで、無線機器は、音声及びデータの両方について回線交換技法を使用して動作することができる。高データ転送速度化を含む様々な理由で、無線機器は、ＬＴＥ規格に従って優先的に動作し、その後、必要に応じてＩＳ−２０００規格にシームレスに切り替わることができる。例えば、無線機器は、着呼がないかチェックするためになどＩＳ−２０００アクティビティを監視するために短い期間にわたってＬＴＥモードからチューンアウェイすることができる。
【００１４】
しかしながら、チューンアウェイする時間を最少限に保つために、これらの機器の多くは、可能なときはいつでもクイックページングチャネル（ＱＰＣＨ）タイムラインとして知られているものにおいてＩＳ−２０００タイムラインを操作する。ＱＰＣＨタイムラインは、ページングメッセージよりはむしろ、ページングインジケータを送信する代替ページングチャネルを指す。ＱＰＣＨのページングインジケータの復調に関与する時間は、ページングメッセージの復調に関与する時間よりもはるかに下回る。
【００１５】
正確なＧＰＳ能力を提供するために、無線機器は、通常は、送信信号と受信信号との間の周波数のずれを補正するために周波数誤差推定を無線機器のＧＰＳ部分に提供する。一部の従来の無線機器は、動作中にＩＳ−２０００タイムラインにおいて周波数誤差推定情報を生成する。しかしながら、これらの従来の機器は、通常は、周波数誤差推定を生成するためのＱＰＣＨタイムラインの使用を禁止するが、例えば、周波数誤差推定の精度が、一部にはページングインジケータの短い期間のためにＱＰＣＨタイムラインにおいて疑わしいものとなる場合があるというのがその理由である。したがって、これらの従来の無線機器は、ＩＳ−２０００タイムラインにおいて受け入れがたい時間量を費やす場合がある。図１〜４の以下の実施形態では、ＬＴＥからチューンアウェイする時間量を低減することができると同時に、なおも、周波数誤差推定を無線機器のＧＰＳ部分に提供する無線通信システム及び機器について説明する。
【００１６】
ここで図１を参照すると、無線通信システムの一実施形態のブロック図が図示されている。なお、図１のシステムは、単に様々な無線通信システムのいずれかの一実施例である。無線通信システム１０は、１つ以上のユーザ機器（ＵＥ）デバイス（例えば、１０６Ａ〜１０６Ｎ）と（ジグザグにより示すような）無線伝送媒体を介して通信する基地局１０２を含む。基地局１０２は、また、有線又は無線とすることができる別のインターフェースを介してネットワーク１００に接続される。なお、数と文字との両方を含む参照番号により特定された構成部品が、必要に応じて数字のみで言及される場合がある。
【００１７】
基地局１０２は基地送受信局（ＢＴＳ）又はセルサイトであってよく、ＵＥ１０６の１つ以上との無線通信を可能にするハードウェアを含んでよい。基地局１０２は、ネットワーク１００と通信する能力を備えていてもよい。それゆえ、基地局１０２は、ＵＥ１０６同士の間及び／又はＵＥ１０６とネットワーク１００との間の通信を促進することができる。基地局１０２の通信領域（即ち、カバレッジ領域）を「セル」と称することができる。様々な実施形態では、基地局１０２及びＵＥは、ＬＴＥ、ＧＳＭ（登録商標）、ＣＤＭＡ、ＷＬＬ、ＷＡＮ、ＷｉＦｉ、ＷｉＭＡｘなどの様々な無線通信無線アクセス技術のいずれかを使用して伝送媒体を介して通信するように構成することができる。
【００１８】
一実施形態では、ＵＥ１０６Ａ〜１０６Ｎのそれぞれは、モバイル電話、ハンドヘルド機器、コンピュータ若しくはタブレットなどの無線ネットワーク接続性を有する機器、又は、実際上任意の形式の無線機器を表すことができる。以下でさらに説明するように、ＵＥ１０６は、メモリ（図２に図示）内に記憶されたプログラム命令を実行するように構成される少なくとも１つのプロセッサ（やはり図２に図示）を含むことができる。したがって、一部の実施形態では、ＵＥ１０６は、そのような記憶された命令を実行することにより、以下で説明する機能性の１つ以上の部分を実行することができる。しかしながら、他の実施形態では、ＵＥ１０６は、１つ以上のハードウェア要素、及び／又は、以下で説明する機能性の１つ以上の部分を実行するように構成することができるＦＰＧＡ（フィールドプログラマブルゲートアレイ）などの１つ以上のプログラム可能なハードウェア要素を含むことができる。さらに他の実施形態では、ハードウェア及びソフトウェアの任意の組み合わせを実行して、以下で説明する機能性を実行することができる。
【００１９】
図２〜４の説明に関連して以下にさらに説明するように、一部の実施形態では、ＵＥ１０６の部分は、例えば、ＵＥ１０６内の全地球測位システム（ＧＰＳ）ユニット（例えば、図２のＧＰＳユニット２０５）などの１つ以上の構成部品による使用に向けて周波数誤差推定を生成するように構成することができる。さらに、上述したように、ＵＥ１０６は、いくつかの無線アクセス技術及び対応する無線通信規格に従って動作するように構成することができる。したがって、ＵＥ１０６内の回路は、ＵＥ１０６が動作している無線アクセス技術に応じて特定の周波数誤差推定をＧＰＳユニットに選択的に提供するように構成することができる。さらに詳しくは、一実施形態では、ＵＥ１０６は、１つの無線アクセス技術において優先的に動作し、したがって、その技術に基づいて周波数誤差推定を提供することができる。しかしながら、ＵＥ１０６が所定の期間に向けて動作を別の技術に切り替えた場合、ＵＥ１０６は、その切り替え先の技術に基づいて、周波数誤差推定を、例えば、ＧＰＳユニットに選択的に提供することができる。
【００２０】
図２を参照すると、図１に示すユーザ機器デバイスの一実施形態のブロック図が図示されている。なお、図１に示す構成部品に対応する構成部品は、明瞭さ及び簡潔さのために全く同じ付番である。ＵＥ１０６は、ディスプレイ２４０に次に接続される表示回路２０４に接続されるプロセッサ２０２（又はプロセッサコア２０２）を含む。プロセッサ２０２は、メモリ管理ユニット（ＭＭＵ）２２０にも接続される。プロセッサ２０２は、さらに、受信器／送信器（Ｒ／Ｔ）ユニット２３０に、及び、ＧＰＳユニット２０５に次に接続される周波数誤差推定（ＦＥＥ）ユニット２６０に接続される。ＭＭＵ２２０は、メモリ２０６に接続される。ＵＥ１０６は、プロセッサ２０２に接続され、かつ、ＵＥ１０６をコンピュータシステム又は他の外部機器に接続するのに使用することができるＩ／Ｏインターフェース２１０も含む。なお、一実施形態では、図２のＵＥ１０６内に示す構成部品は、独立式構成部品として製造することができる。しかしながら、他の実施形態では、これらの構成部品のうちの様々な構成部品は、しシステムオンチップ（ＳＯＣ）を含むことができる１つ以上のチップセットの一部とすることができることが企図されている。
【００２１】
様々な実施形態では、プロセッサ２０２は、無線通信機器で見ることができるいくつかの異なる形式のプロセッサを表すことができる。例えば、プロセッサ２０２は、一般的な処理能力、デジタル信号処理能力、並びに、所望であれば、ハードウェアアクセラレータ機能性を含むことができる。プロセッサ２０２は、ベースバンド処理を含むことができ、したがって、Ｒ／Ｔユニット２３０により受信された信号をデジタル処理することができる。プロセッサ２０２は、Ｒ／Ｔユニット２３０により送信することができるデータを処理することもできる。プロセッサ２０２は、ＵＥ１０６に向けてオペレーティングシステム及びユーザアプリケーションを走らせるなどのいくつかの他のデータ処理機能を実行することもできる。
【００２２】
一実施形態では、ＭＭＵ２２０は、アドレスをプロセッサ２０２から受信し、かつ、それらのアドレスをメモリ（例えば、メモリ２０６）内の場所に、並びに／又は、表示回路２０４、Ｒ／Ｔユニット２３０及び／若しくはディスプレイ２４０など、他の回路又は機器に変換するように構成することができる。ＭＭＵ２２０は、メモリ保護並びにページテーブル変換若しくはセットアップを実行するように構成されてもよい。実施形態によっては、ＭＭＵ２２０はプロセッサ２０２の一部として含まれてもよい。表示回路２０４は、グラフィック処理を実行して表示信号をディスプレイ２４０に提供するように構成することができる。
【００２３】
Ｒ／Ｔユニット２３０は、一実施形態では、無線通信を実行するためにアンテナ２３５を介してＲＦ信号を受信及び送信するアナログ無線周波数（ＲＦ）回路を含むことができる。Ｒ／Ｔユニット２３０は、所望であれば着信ＲＦ信号をベースバンド又は中間周波数（ＩＦ）に下げるダウンコンバージョン回路も含むことができる。例えば、Ｒ／Ｔユニット２３０は、様々なＲＦ及びＩＦフィルタ、局部発振器、ミキサなどを含むことができる。ＵＥ１０６はいくつかの無線アクセス技術に従って動作することができることから、Ｒ／Ｔユニット２３０は、各技術のそれぞれのＲＦ信号を受信してダウンコンバートし、並びに、アップコンバートして送信するいくつかのＲＦフロントエンド部分を含むことができる。例えば、１つの特定の実行例では、Ｒ／Ｔユニット２３０は、ＬＴＥフロントエンド及びＩＳ−２０００フロントエンドを含むことができる。
【００２４】
様々な実施形態では、ＧＰＳユニット２０５は、様々な用途において使用することができる情報を生成することができる。例えば、ＧＰＳユニットは、アンテナ２３５から、例えば、時刻、高度、緯度及び経度に対応する衛星及び／又は地上波の両方を基本とする信号を受信することができる。したがって、ＵＥ１０６の現在の場所並びに他の場所を生成することができ、その後、ナビゲーション及びマッピング、並びに、所望であれば、他の用途に使用することができる。
【００２５】
一実施形態では、ＦＥＥユニット２６０は、受信信号の１つ以上の成分（例えば、パイロット信号）とＲ／Ｔユニット２３０に関連した対応する局部発振器の周波数との間の周波数誤差を決定するように構成することができる。ＦＥＥユニット２６０は、周波数誤差の推定を計算して、推定情報をＧＰＳユニット２０５、並びに、ＵＥ１０６内の他の回路及びプロセスに提供することができる。さらに詳しくは、様々な実施形態では、周波数誤差推定情報は、周波数変換を使用して受信されたサンプルを補正するために、ローテータ回路により使用することができる。さらに、周波数誤差推定情報は、局部発振器周波数を補正するために使用することができる。以下でさらに詳細に説明するように、一実施形態では、ＦＥＥユニット２６０は、異なる無線アクセス技術に従って動作している間に周波数誤差推定を作成することができるように２つ以上の推定ユニットを含むことができる。例えば、一実施形態では、ＦＥＥ２６０は、ＬＴＥタイムラインに向けて周波数誤差推定を、ＩＳ−２０００タイムラインに向けて周波数誤差推定を生成するように構成することができ、一方、他の実施形態では、ＦＥＥユニット２６０は、他のアクセス技術に向けて周波数誤差推定を生成するように構成することができる。ＦＥＥユニット２６０は、ＵＥ１０６が動作しているタイムラインのどれに基づいて適切な周波数誤差推定を提供することができる。なお、ＦＥＥユニット２０６は別個のユニットとして図２に図示されているが、他の実施形態では、ＦＥＥユニット２６０は、所望であれば、プロセッサ２０２、又はＲ／Ｔユニット２３０などの他の回路ブロックの一部とすることができることが企図されている。
【００２６】
図３を参照すると、図２の無線ユーザ機器デバイスの周波数誤差推定ユニットの一実施形態のブロック図が図示されている。なお、図２に示す構成部品に対応する構成部品は、明瞭さ及び簡潔さのために全く同じ付番である。ＦＥＥユニット２６０は、両方とも制御ユニット３０５に接続される、ＬＴＥ周波数誤差推定（ＬＦＥＥ）ユニット３０１と、ＣＤＭＡ周波数誤差推定（ＣＦＥＥ）ユニット３０３とを含む。制御ユニット３０５は、図示するように、周波数誤差推定をＧＰＳユニットに提供するために接続される。ＬＦＥＥユニット３０１及びＣＦＥＥユニット３０３は、信号情報をＲ／Ｔユニット２３０から受信するために接続される。
【００２７】
一実施形態では、ＬＦＥＥユニット３０１及びＣＦＥＥユニット３０３は、それぞれの無線アクセス技術の受信されたパイロット信号又は搬送波信号などの信号情報、及び、ＲＦユニット２３０を有する局部発振器からの周波数情報を使用して、周波数誤差の推定を決定することができる。周波数誤差推定値は、どの無線アクセス技術が使用されているかによっては異なる場合がある。したがって、制御ユニット３０５は、無線モード信号に少なくともある程度基づいて周波数誤差推定の１つを選択して、誤差推定をＧＰＳユニット２０５に提供することができる。さらに詳しくは、無線モード信号は、ＵＥ１０６がＬＴＥタイムラインに従って動作しているときに一状態にある場合があり、無線モード信号は、ＵＥ１０６がＩＳ−２０００タイムラインに従って動作しているときに別の状態にある場合がある。したがって、図４の説明に関連して以下でさらに詳細に説明するように、無線モード信号に応じて、制御ユニット３０５は、ＧＰＳユニット２０５及び他の回路にどの周波数誤差推定を送るべきか選択することができる。一実施形態では、制御ユニット３０５は、ＵＥ１０６がどれくらい長くＩＳ−２０００において動作しているか追跡するハードウェアタイミング回路（例えば、タイマー３０７）を含むことができ、その結果、制御ユニット３０５はいつ、例えば、ＣＦＥＥユニット３０３からの周波数誤差推定の使用に切り替わるべきか（仮にそうである場合）判定することができる。しかしながら、他の実施形態では、無線モード信号は、制御ユニット３０５にＣＦＥＥ３０３とＬＦＥＥ３０１と間で切り替えさせる情報を含む符号化信号とすることができる。
【００２８】
一実施形態では、上述したように、受信信号強度がチューンアウェイモード中にＱＰＣＨタイムラインにおいて動作に十分である場合、制御ユニット３０５は、ＣＦＥＥユニット３０３が周波数誤差推定を提供するのを禁止して、Ｒ／Ｔユニット２３０ができるだけ早くＬＴＥタイムラインにおける動作に再び切り替わることができるようにする。そうでない場合、つまり、ＣＦＥＥユニット３０３が周波数誤差推定を提供するのを禁止されなかった場合、Ｒ／Ｔユニット２３０は、望ましいよりも長くＩＳ−２０００タイムラインにとどまる場合があり、ＣＦＥＥユニット３０３がＧＰＳユニット２０５に周波数誤差推定を提供することができる。なお、ＱＰＣＨタイムラインに切り替わる前に、ＬＴＥタイムラインにより提供された周波数誤差推定間には特定の期間がある。したがって、その期間を超えない限り、例えば、ＧＰＳユニット２０５は、ＬＦＥＥユニット３０１による次の予定された誤差推定の前にＣＦＥＥユニット３０３からの誤差推定を必ずしも必要とするわけではない場合がある。したがって、Ｒ／Ｔユニット２３０が所定の時間量よりも長くＩＳ−２０００タイムラインにおいてとどまる場合に限り、制御ユニット３０５は、ＣＦＥＥユニット３０３が周波数誤差推定をＧＰＳユニット２０５に提供することを可能にすることになる。
【００２９】
さらに、一実施形態では、ＬＦＥＥユニット３０１及びＣＦＥＥユニット３０３のそれぞれは、使用されないとき、ディスエーブル及び／又は電源切断することができる。例えば、一実施形態では、適切な遷移、無線モード信号に応じて、それらの回路をディスエーブル又は電源切断することができるようにパワーゲーティング又はクロックゲーティングを実行することができる。
【００３０】
図４では、図３に示す周波数誤差ユニットの一実施形態の動作を示す流れ図が図示されている。図１〜図４を集合的に参照すると、かつ、図４のブロック４０１で始まって、ＵＥ１０６は、ＬＴＥタイムラインにおいて動作中とすることができる。それゆえ、ＬＦＥＥユニット３０１は、例えば、先述したような受信ＬＴＥパイロット信号に基づいて周波数誤差推定を計算することができる。さらに詳しくは、無線モード信号は、ＵＥ１０６がＬＴＥタイムラインにおいて動作中であると示すことができる。したがって、制御ユニット３０５は、ＧＰＳユニット２０５にＬＦＥＥ３０１により生成された周波数誤差推定を報告する（ブロック４０３）ことができる。一実施形態では、ＵＥ１０６がＬＴＥタイムラインにおいて動作中であることから、無線モード信号は、電力消費及びスイッチングノイズを低減するためにＣＦＥＥユニット３０３を電源切断又はディスエーブルさせることができる。
【００３１】
ＬＴＥタイムラインにおける動作中に、ＵＥ１０６は、所定の又は他の間隔にて、ＩＳ−２０００ページングアクティビティを監視する（例えば、任意の着信ＩＳ−２０００コール又はデータアクティビティがないかチェックする）ためにＬＴＥタイムラインからチューンアウェイする（ブロック４０５）ことができる。例えば、一実施形態では、ＵＥ１０６は、ＱＰＣＨタイムラインにおいて動作してＱＰＣＨインジケーターがないかチェックすることができるか、又は、ＵＥ１０６は、ＩＳ−２０００タイムラインにおいて動作して、ページングメッセージがないかチェックすることができる。
【００３２】
したがって、ＵＥ１０６は、ＩＳ−２０００タイムラインにおける動作に切り替わる（ブロック４０７）ことができる。さらに詳しくは、Ｒ／Ｔユニット２３０内の様々な回路は、ＩＳ−２０００情報を受信するように切り替わることができる。さらに、無線モード信号は、遷移してＩＳ−２０００タイムラインにおける動作を示すことができる。したがって、一実施形態では、無線モード信号は、ＬＦＥＥユニット３０１を禁止させ、ＣＦＥＥユニット３０３をイネーブルさせて、かつ、ＩＳ−２０００タイムラインに向けて周波数誤差の計算を開始させることができる。なお、チューンアウェイモードでは、信号強度がＱＰＣＨタイムラインを可能にするとともに着呼がない場合、ＬＴＥタイムラインから離れて費やされる時間は、相対的に短い場合がある。したがって、制御ユニット３０５は、ＣＦＥＥユニット３０３により計算された周波数誤差推定がＧＰＳユニット２０５に提供されるのを禁止し続けることができる。
【００３３】
ＩＳ−２０００タイムラインにおける動作が完了した（ブロック４０９）場合、ＣＦＥＥユニット３０３をディスエーブルすることができ、動作は、ブロック４０１に関連して先述したようにＬＴＥタイムラインに戻る。しかしながら、ＩＳ−２０００タイムラインにおける動作が完了していない（ブロック４０９）場合、制御ユニット３０５は、どれだけの時間がＩＳ−２０００タイムラインにおいて費やされるか追跡し始めることができる。先述したように、制御ユニット３０５は、ＩＳ−２０００タイムラインにおいて動作する期間を追跡するタイマユニットを含むことができる。あるいは、プロセッサ２０２において実行中のソフトウェアは、ＩＳ−２０００タイムラインにおいて動作する時間を追跡して、特定の符号化を制御ユニット３０５に無線モード信号を介して提供することができる。いずれにしても、所定の時間閾値が満たされなかった（ブロック４１１）場合、動作は、ブロック４０７に関連して先述したようにＩＳ−２０００タイムラインにおいて続く。
【００３４】
しかしながら、所定の時間閾値が満たされた（ブロック４１１）場合、制御ユニット３０５は、ＣＦＥＥユニット３０３からの周波数誤差推定をＧＰＳユニット２０５に報告する（ブロック４１３）ことができる。ＩＳ−２０００信号に基づいてＣＦＥＥユニットからの周波数誤差推定を提供することにより、ＧＰＳユニット２０５の精度を維持することができる。動作は、ブロック４０７において先述したようにＩＳ−２０００においてタイムラインを続ける。
【００３５】
したがって、ＵＥ１０６がＬＴＥタイムラインにおいて優先的に動作することを可能にし、かつ、ＵＥ１０６が一部の所定の期間よりも長くＩＳ−２０００において動作しなければならないときにＩＳ−２０００タイムラインに基づいて周波数誤差推定をＧＰＳユニットに提供するだけにより、ＵＥ１０６のパフォーマンスを向上させることができる。
【００３６】
上述の実施形態はかなり詳細に説明されているが、上述の開示が完全に理解されれば、当業者には数多くの変形及び変更が明らかになるであろう。添付の請求項はこのような変形及び変更を全て包含するように解釈されることが意図されている。
【図１】
0005893210.tif 000002
【図２】
0005893210.tif 000003
【図３】
0005893210.tif 000004
【図４】
0005893210.tif 000005